(57)【要約】【課題】  オプション機能の適合性を確認可能な画像形成装置を提供すること。【解決手段】  本発明は、ネットワークに接続される画像形成装置であって、前記画像形成装置の構成情報を記憶する記憶手段と、前記ネットワークを介して接続された管理装置から、複数のオプション機能に関する情報をダウンロードするオプション情報ダウンロード手段と、前記複数のオプション機能から少なくとも１のオプション機能を選択する選択手段と、前記選択手段により選択されたオプション機能に対応する確認ソフトウェアをダウンロードする確認ソフトウェアダウンロード手段と、前記確認ソフトウェアダウンロード手段によりダウンロードされた確認ソフトウェアを実行することにより、前記記憶手段に記憶された構成情報に基づいて、当該画像形成装置に対する前記選択手段により選択されたオプション機能の適合性を判断する判断手段とを有する画像形成装置を提供する。【選択図】      図５
2006088381.tif 000002
【特許請求の範囲】
【請求項１】
ネットワークに接続される画像形成装置であって、
前記画像形成装置の構成情報を記憶する記憶手段と、
前記ネットワークを介して接続された管理装置から、複数のオプション機能に関する情報をダウンロードするオプション情報ダウンロード手段と、
前記複数のオプション機能から少なくとも１のオプション機能を選択する選択手段と、
前記選択手段により選択されたオプション機能に対応する確認ソフトウェアをダウンロードする確認ソフトウェアダウンロード手段と、
前記確認ソフトウェアダウンロード手段によりダウンロードされた確認ソフトウェアを実行することにより、前記記憶手段に記憶された構成情報に基づいて、当該画像形成装置に対する前記選択手段により選択されたオプション機能の適合性を判断する判断手段と
を有する画像形成装置。
【請求項２】
前記判断手段による判断結果を表示する表示手段をさらに有する請求項１に記載の画像形成装置。
【請求項３】
前記選択手段により選択されたオプション機能がソフトウェアであって、
前記判断手段により、前記選択手段により選択されたオプション機能が当該画像形成装置に適合すると判断された場合に、前記選択手段により選択されたオプション機能を、前記ネットワークを介して接続された管理装置からダウンロードするオプションソフトウェアダウンロード手段をさらに有する
ことを特徴とする請求項１に記載の画像形成装置。
【請求項４】
前記選択手段により選択されたオプション機能の属性情報を受信する受信手段と、
前記受信手段により受信した属性情報に基づいて、記録材上に画像を形成する画像形成手段と
をさらに有する請求項１に記載の画像形成装置。
【発明の詳細な説明】
【技術分野】
【０００１】
本発明は、画像形成装置にオプション機能を導入する際に、画像形成装置とそのオプション機能の適合性を判断する技術に関する。
【背景技術】
【０００２】
プリンタ、ＦＡＸ、コピー、スキャナ等の機能を併せ持つ、いわゆる複合機は、オフィスでの仕事に欠かせないものとなっている。複合機は、ネットワークに接続して複数人で共用されることが多い。複合機の機能については種々の要求があるが、複合機のリソースは有限であるため、要求される機能を全て具備することは不可能である。そこで、複合機のメーカーは最小限必要と考えられる機能のみを複合機に搭載し、それ以外の機能を使用者の要求に応じてオプション機能として提供している。
オプション機能は、複合機にオプションソフトウェアまたはオプション装置を導入することにより実現される。しかし、複合機の機種等により、搭載可能なオプション機能が制限されている。また、オプション機能同士にも適合性があり、あるオプション機能と同時に搭載可能なオプション機能も限定されている。
【０００３】
従来、新たなオプション機能を導入する際の画像形成装置とオプション機能との整合性、あるいは既に導入されているオプション機能と新たに導入されるオプション機能との適合性の確認は、サービスマン等の作業者がマニュアルを読みながら確認するというように、手動で行われており、多大な時間を要するという問題があった。
【０００４】
この問題を解決する技術として、例えば特許文献１に記載された技術がある。特許文献１に記載の技術は、画像形成装置と管理装置とが相互に通信を行いながらオプション機能の適合性を確認するものである。
【特許文献１】特開２０００−４９９９８号公報
【発明の開示】
【発明が解決しようとする課題】
【０００５】
しかし、特許文献１に記載の技術では、画像形成装置と管理装置とが他数回にわたって通信を行う必要があり、システムが複雑になるという問題があった。また、管理装置が管理できる情報は一部の情報に限定されるため、その画像形成装置に既に導入されている別のオプション機能に関する情報を管理することは困難であった。そのため、個々の画像形成装置の構成に基づいたオプションモジュールの組み合わせ確認ができないという問題もあった。
本発明は上述の事情に鑑みてなされたものであり、簡単なシステム構成でオプション機能の適合性を確認可能な画像形成装置を提供することを目的とする。
【課題を解決するための手段】
【０００６】
上記の課題を解決するため、本発明は、ネットワークに接続される画像形成装置であって、前記画像形成装置の構成情報を記憶する記憶手段と、前記ネットワークを介して接続された管理装置から、複数のオプション機能に関する情報をダウンロードするオプション情報ダウンロード手段と、前記複数のオプション機能から少なくとも１のオプション機能を選択する選択手段と、前記選択手段により選択されたオプション機能に対応する確認ソフトウェアをダウンロードする確認ソフトウェアダウンロード手段と、前記確認ソフトウェアダウンロード手段によりダウンロードされた確認ソフトウェアを実行することにより、前記記憶手段に記憶された構成情報に基づいて、当該画像形成装置に対する前記選択手段により選択されたオプション機能の適合性を判断する判断手段とを有する画像形成装置を提供する。
この画像形成装置によれば、当該画像形成装置のソフトウェアおよびハードウェアに係る構成情報に基づいて、オプション機能の適合性が判断される。したがって、簡単な構成で、確実にオプション機能導入の適否を判断することができる。
【０００７】
好ましい態様において、この画像形成装置は、前記判断手段による判断結果を表示する表示手段をさらに有してもよい。
また、別の好ましい態様において、前記選択手段により選択されたオプション機能がソフトウェアであって、この画像形成装置は、前記判断手段により、前記選択手段により選択されたオプション機能が当該画像形成装置に適合すると判断された場合に、前記選択手段により選択されたオプション機能を、前記ネットワークを介して接続された管理装置からダウンロードするオプションソフトウェアダウンロード手段をさらに有してもよい。
この態様によれば、オプション機能がソフトウェアである場合に、選択されたオプション機能（ソフトウェア）が当該画像形成装置に適合するものであれば自動的にダウンロードされるので、複雑な操作をすることなく所望のオプション機能をインストールすることができる。
【０００８】
さらに別の好ましい態様において、この画像形成装置は、前記選択手段により選択されたオプション機能の属性情報を受信する受信手段と、前記受信手段により受信した属性情報に基づいて、記録材上に画像を形成する画像形成手段とをさらに有してもよい。
この態様によれば、導入を検討しているオプション機能がハードウェアである場合に、そのオプション機能が当該画像形成装置に適合する場合に、そのオプション機能の発注に必要な属性情報が用紙等記録材上に印刷されるので、使用者は容易に発注作業を行うことができる。
【発明を実施するための最良の形態】
【０００９】
以下、図面を参照して本発明の実施形態について説明する。
＜１．第１実施形態＞
＜１−１．構成＞
図１は、本発明の第１実施形態に係る画像形成装置管理システム１の構成を示すブロック図である。管理対象となる画像形成装置である４台の複合機１０ａ〜ｄ（これらの複合機をあわせて「複合機群１００」という）は、ＬＡＮ２を介して相互に接続されている。４台の複合機１０ａ〜ｄは、同一のハードウェア構造を有している。以下の説明において、特に４台の複合機のうち特定のものを区別する必要のないときは、「複合機１０」として記載する。複合機１０ａには、通信制御装置５０が接続されており、インターネット等のネットワーク３を介して他の機器とデータの送受信を行うことができる。管理装置６０は、複合機群１００を遠隔管理するための管理装置である。管理装置６０はネットワーク３に接続されており、ネットワーク３および通信制御装置５０を介して複合機１０との間で制御信号およびデータを通信することができる。
【００１０】
図２は、本実施形態に係る複合機１０のハードウェア構成を示すブロック図である。複合機１０は、プリンタ、ＦＡＸ、コピー、スキャナの機能を有する画像形成装置である。ＣＰＵ１１は、複合機１０の各構成要素を制御する機能を有する。記憶部１２は、ＨＤＤ（Hard Disk Drive）、ＲＡＭ（Random Access Memory）、ＲＯＭ（Read Only Memory）等から構成され、ＣＰＵ１１が実行する各種プログラムや、印刷、ＦＡＸ送信等の処理対象となるデータや、複合機１０の動作のためのデータを記憶する。Ｉ／Ｆ（インターフェイス）１３は、他の機器との間で制御信号やデータを送受信するためのインターフェイスである。Ｉ／Ｆ１３は、ＦＡＸの送受信をおこなうためのＦＡＸモデムを含んでいる。ＵＩ（ユーザインターフェイス）１４は、使用者が指示入力を行うためのユーザインターフェイスであり、液晶ディスプレイ、タッチパネル、テンキー等から構成される。
【００１１】
また、複合機１０は、プリンタ、ＦＡＸ、コピー、スキャナの各機能を実現するための画像形成部１５、画像読み取り部１６、用紙搬送部１７を有する。例えば、プリンタとして機能する場合には、複合機１０は、ＬＡＮ２およびＩ／Ｆ１３を介して受信した印刷データに対応する画像を、用紙搬送部１７により搬送される用紙（記録材）上に、画像形成部１５において画像形成する。このように、図２に示す各構成要素を組み合わせてプリンタ、ＦＡＸ、コピー、スキャナの各機能が実現される。
なお、以下の説明において、図１に示される４台の複合機１０の構成要素を区別して説明する必要がある場合は、例えば複合機１０ａの構成要素に対しては「ＣＰＵ１１ａ」というように添字ａを付加する。
【００１２】
記憶部１２は、本実施形態に係る管理プログラムを記憶している。ＣＰＵ１１は、記憶部１２からこの管理プログラムを読み出して実行する。複合機１０は、管理プログラムを実行することにより以下に説明する機能を有することができる。
【００１３】
図３は、管理装置６０のハードウェア構成を示すブロック図である。管理装置６０は、ＣＰＵ６１、記憶部６２、Ｉ／Ｆ６３、キーボード６４、マウス６５、ディスプレイ６６等から構成されるコンピュータ装置である。記憶部６２は、画像形成装置に追加可能なオプション機能に関する情報を記録したオプション機能テーブルＴＢ１を記憶している。また、各オプション機能に対応する、オプション適合性確認ソフトウェアを記憶している。
図４は、オプション機能テーブルＴＢ１を例示する図である。図４に示すように、オプション機能テーブルＴＢ１には、オプション機能が、そのオプション機能のカテゴリ、識別子と共に記録されている。
【００１４】
＜１−２．動作＞
続いて、本実施形態に係る画像形成装置管理システム１の動作について説明する。図５は、本実施形態に係る画像形成装置管理システム１の動作を示す図である。オプション機能の導入に先立ち、使用者は以下のようにして導入しようとしているオプション機能の適合性を判断する。
【００１５】
使用者は、複合機１０のＵＩ１４を操作し、オプション機能の情報提供を要求する旨の指示入力を行う。指示入力を検出した複合機１０のＣＰＵ１１は、オプション機能の情報提供要求を管理装置６０に送信する（ステップＳ１１）。情報提供要求を受信すると、管理装置６０のＣＰＵ６１は、記憶部６２からオプション機能テーブルＴＢ１を複合機１０に送信する（ステップＳ１２）。オプション機能テーブルＴＢ１を受信すると、複合機１０のＣＰＵ１１は、受信したオプション機能テーブルＴＢ１を、記憶部１２に記憶する。
【００１６】
ＣＰＵ１１は、オプション機能テーブルＴＢ１に基づいて、オプション機能の一覧表を液晶ディスプレイに表示する（ステップＳ１３）。使用者は、液晶ディスプレイに表示されたオプション機能の一覧表から、導入予定のオプション機能を選択する（ステップＳ１４）。オプション機能が選択されると、ＣＰＵ１１は、選択されたオプション機能を特定する識別子を含む、オプション適合性確認ソフトウェアのダウンロード要求を生成する。ＣＰＵ１１は生成したダウンロード要求を管理装置６０に送信する（ステップＳ１５）。
【００１７】
ダウンロード要求を受信すると、管理装置６０のＣＰＵ６１は、受信したダウンロード要求に含まれる識別子に対応するオプション適合性確認ソフトウェアを記憶部６２から読み出す。オプション適合性確認ソフトウェアは、オプション機能ごとに固有のものである。ＣＰＵ６１は読み出したオプション適合性確認ソフトウェアを、ダウンロード要求の送信元である複合機１０を宛先として送信する（ステップＳ１６）。
【００１８】
オプション適合性確認ソフトウェアを受信すると、複合機１０のＣＰＵ１１は、受信したオプション適合性確認ソフトウェアを記憶部１２に記憶する。ＣＰＵ１１は、記憶部１２からオプション適合性確認ソフトウェアを読み出し、実行する（ステップＳ１７）。
オプション適合性確認ソフトウェアを実行することにより、ＣＰＵ１１は、複合機１０の動作環境等をチェックしてオプション機能の追加が可能であるか否か判断する。具体的には次のとおりである。記憶部１２は、既に導入されているオプション機能（ソフトウェアおよびハードウェア）を特定する識別子を記憶している。また、オプション適合性確認ソフトウェアは、そのオプション機能と適合するオプション機能、複合機本体を特定する識別子の一覧のデータを有している。ＣＰＵ１１は、記憶部１２に記憶されている識別子と、オプション適合性確認ソフトウェアが有する識別子の一覧とを比較する。ＣＰＵ１１は、このようにして既に導入されているオプション機能あるいは複合機本体と、新たに導入するオプション機能との整合性を確認する。なお、オプション適合性確認ソフトウェアが、そのオプション機能と適合しないオプション機能、複合機本体を特定する識別子の一覧のデータを有していてもよい。
ＣＰＵ１１は、適合性（追加可否）の判断結果を、液晶ディスプレイに表示する（ステップＳ１８）。
【００１９】
なお、確認事項の具体例としては、例えば次に掲げるものがある。（１）フォント書体／フォント数とデコンポーザの組み合わせ、（２）フィニシャーとソーターの組み合わせ、（３）手差しトレイとサイドトレイの組み合わせ、（４）メモリ容量、（５）ＨＤＤの残存容量、（６）ファームウェアのバージョン、（７）複合機の型番。
【００２０】
本実施形態に係る画像形成装置管理システム１の動作をさらに具体的に説明すると次のとおりである。使用者は、ＵＩ１４を操作し、オプション機能の一覧表示を要求する旨の指示入力を行う。複合機１０は、管理装置６０から、提供可能なオプション機能一覧のデータを受信する。ＣＰＵ１１は、オプション機能一覧を液晶ディスプレイに表示する。使用者は、液晶ディスプレイに表示されたオプション機能一覧から、導入を検討しているオプション機能を選択する。ここでは、「ゴシック」等の新たなフォントを選択した場合について説明する。
使用者が新たなフォントを選択すると、複合機１０は、管理装置６０からこのフォントに対応するオプション適合性確認ソフトウェアをダウンロードする。複合機１０のＣＰＵ１１は、ダウンロードしたオプション適合性確認ソフトウェアを実行する。オプション適合性確認ソフトウェアには、このフォントに適合するデコンポーザの識別子の一覧データが含まれている。ＣＰＵ１１は、記憶部１２に記憶されている、複合機１０のデコンポーザを特定する識別子と、オプション適合性確認ソフトウェアに含まれるデコンポーザの識別子の一覧を比較する。ＣＰＵ１１は、複合機１０のデコンポーザが一覧に含まれるものである場合、このフォントが適合可能であると判断し、その旨を液晶ディスプレイに表示する。使用者は、この表示により、導入を検討しているフォントがこの複合機に適合するものであることを知ることができる。
【００２１】
本実施形態によれば、画像形成装置に新たなオプション機能を導入する前に、その画像形成装置のシステム構成および既に導入済みの別のオプション機能（ハードウェアおよびソフトウェア）と、導入を検討しているオプション機能との適合性を確認することができる。この際、適合性は、画像形成装置のハードウェア構成とオプション機能との適合性だけでなく、画像形成装置に導入されているソフトウェアとオプション機能との適合性についても判断される。したがって、オプション機能の導入可否について、事前に確実に確認することができる。
【００２２】
＜２．第２実施形態＞
続いて本発明の第２実施形態について説明する。本実施形態は、特にオプション機能がソフトウェアである場合に適用可能なものである。本実施形態におけるシステム構成は、第１実施形態の画像形成装置管理システム１と同一であるのでその説明を省略する。また、その動作についても、オプションソフトウェアの適合性を確認する段階までは第１実施形態と同じであるので説明を省略する。
【００２３】
図６は、本実施形態に係る画像形成装置管理システム１の動作を示す図である。図６においては、図５に示す第１実施形態の動作と異なる部分のみを示している。使用者が選択したフォント（オプション機能）がこの複合機１０に適合するものであると判断した場合（ステップＳ２１：ＹＥＳ）、ＣＰＵ１１は、選択されたフォントのダウンロード要求を管理装置６０に送信する（ステップＳ２２）。ダウンロード要求を受信すると、管理装置６０のＣＰＵ６１は、記憶部６２から要求されたフォントのデータを読み出し、ダウンロード要求の送信元である複合機１０に送信する（ステップＳ２３）。
【００２４】
フォントのデータを受信すると、複合機１０のＣＰＵ１１は、受信したフォントのインストールを行う（ステップＳ２４）。インストール用のプログラム（インストーラ）は、あらかじめ記憶部１２に記憶されているものであってもよいし、フォントのデータと一緒に管理装置６０からダウンロードしてもよい。なお、ステップＳ２１において、オプション機能が複合機１０に適合しないものと判断された場合には、ＣＰＵ１１は、その旨を液晶ディスプレイに表示して処理を終了する。
【００２５】
本実施形態は、次のような変形実施が可能である。図７は、この変形例においてＵＩ１４の液晶ディスプレイに表示される画面を例示する図である。管理装置６０の記憶部６２に記憶されているオプション機能テーブルＴＢ１は、カテゴリ毎に区分され、そのカテゴリがさらにカテゴリ毎に区分されるというように階層構造を有している。ＣＰＵ１１はオプション機能テーブルＴＢ１を受信すると、オプション機能テーブルＴＢ１から最上位の階層のデータを抽出し、液晶ディスプレイに表示する（例えば、「ソフトウェア」と「ハードウェア」；図７（ａ））。使用者が表示されたカテゴリ群から所望のもの（例えば「ソフトウェア」）を選択すると、ＣＰＵ１１はそのカテゴリの下層のカテゴリ群を液晶ディスプレイに表示する（例えば「フォント」「ファームウェア」等；図７（ｂ））。使用者が表示されたカテゴリ群から所望のもの（例えば「フォント」）をさらに選択すると、さらにそのカテゴリに属するカテゴリ群が表示される。こうして階層構造の最下層（例えば「和文」）まで達すると、ＣＰＵ１１は、そのカテゴリに属するオプション機能（この場合、すべての和文フォント）に対応するオプション適合性確認ソフトウェアのダウンロード要求を生成する。ＣＰＵ１１は、生成したダウンロード要求を管理装置６０に送信する。
【００２６】
管理装置６０のＣＰＵ６１は、受信したダウンロード要求に応じて、「和文フォント」のカテゴリに属するすべてのオプション機能に対応するオプション適合性確認ソフトウェアを記憶部６２から読み出し、ダウンロード要求の送信元である複合機１０に送信する。オプション適合性確認ソフトウェアを受信すると、複合機１０のＣＰＵ１１は、受信したオプション適合性確認ソフトウェアを実行し、「和文フォント」のカテゴリに属するすべてのフォントに対して、複合機１０との適合性の確認を行う。個別の確認方法は第１実施形態で説明したものと同一である。
【００２７】
ＣＰＵ１１は、こうして適合性の確認を行った結果、複合機１０に適合すると判断されたオプション機能のみを液晶ディスプレイに表示する（図７（ｃ））。使用者は、液晶ディスプレイに表示されたフォントの中から所望のものを選択する。液晶ディスプレイに表示されているものは、複合機１０との適合性を確認済みのものばかりである。
使用者がフォント（オプション機能）を選択すると、ＣＰＵ１１は、選択されたフォントのダウンロード要求を生成する。ＣＰＵ１１は、生成したダウンロード要求を管理装置６０に送信する。管理装置６０は、要求されたフォントのデータを複合機１０に送信し、複合機１０はダウンロードしたフォントをインストールする。
【００２８】
本実施形態によれば、一覧から選択されたソフトウェアのオプション機能の適合性が画像形成装置において判断される。また、複合機１０は適合性が確認されたソフトウェアを自動的に管理装置６０からダウンロードするので、使用者は簡単な操作のみで適合性が確認されたソフトウェアを導入することができる。
【００２９】
＜３．第３実施形態＞
続いて本発明の第３実施形態について説明する。本実施形態は、特にオプション機能がハードウェアである場合に適用可能なものである。本実施形態におけるシステム構成は、第１実施形態の画像形成装置管理システム１と同一であるのでその説明を省略する。また、その動作についても、オプションハードウェアの適合性を確認する段階までは第１実施形態と同じであるので説明を省略する。
【００３０】
図８は、本実施形態に係る画像形成装置管理システム１の動作を示す図である。図６においては、図５に示す第１実施形態の動作と異なる部分のみを示している。使用者が選択したハードウェア（オプション機能）がこの複合機１０に適合するものであると判断した場合（ステップＳ３１：ＹＥＳ）、ＣＰＵ１１は、選択されたハードウェアの発注処理を行う。発注処理は、例えば、ネットワーク３を介して管理装置６０にデータを送信することにより行われてもよい。すなわち、ＣＰＵ１１は、選択されたハードウェアを特定する識別子を含む発注要求を生成し、生成した発注要求を管理装置６０に送信する。管理装置６０は、受信した発注要求を、発注の担当者に電子メールメッセージとして転送する等の方法により、担当者に通知する。なお、ステップＳ３１において、オプション機能が複合機１０に適合しないものと判断された場合には、ＣＰＵ１１は、その旨を液晶ディスプレイに表示して処理を終了する。
【００３１】
発注処理は次のように行われてもよい。使用者が選択したハードウェアが複合機１０に適合するものであると判断した場合、ＣＰＵ１１は、選択されたハードウェアの発注要求を管理装置６０に送信する（ステップＳ３２）。管理装置６０は、指定されたハードウェアの価格、スペック等の属性値（属性情報）を含むデータを発注要求の送信元である複合機１０に送信する（ステップＳ３３）。そのデータを受信した複合機１０は、受信したデータに基づいて、選択されたハードウェアの発注書を印刷する（ステップＳ３４）。発注書には、宛名、送信元、品物の型番、数量、価格等が記載されている。使用者は、必要事項を記入した上でその発注書を複合機１０にセットし、発注書に記載されている宛先にＦＡＸ送信する。
【００３２】
本実施形態によれば、実機で適合性の確認されたハードウェアのみを発注することができるので、オプションハードウェアを購入した後になって、そのオプションハードウェアが複合機１０に適合しないものであることが判明するといった不都合を回避することができる。また、複合機１０が発注書の印刷を行う態様では、使用者が発注書を作成する手間を省くことができる。
【図面の簡単な説明】
【００３３】
【図１】本発明の第１実施形態に係る画像形成装置管理システム１の構成を示すブロック図である。
【図２】同実施形態に係る複合機１０のハードウェア構成を示すブロック図である。
【図３】管理装置６０のハードウェア構成を示すブロック図である。
【図４】オプション機能テーブルＴＢ１を例示する図である。
【図５】同実施形態に係る画像形成装置管理システム１の動作を示す図である。
【図６】本発明の第２実施形態に係る画像形成装置管理システム１の動作を示す図である。
【図７】変形例において液晶ディスプレイに表示される画面を例示する図である。
【図８】本発明の第３実施形態に係る画像形成装置管理システム１の動作を示す図である。
【符号の説明】
【００３４】
１…画像形成装置管理システム、２…ＬＡＮ、３…ネットワーク、１０…複合機、１１…ＣＰＵ、１２…記憶部、１３…Ｉ／Ｆ、１４…ＵＩ、１５…画像形成部、１６…画像読み取り部、１７…用紙搬送部、５０…通信制御装置、６０…管理装置、６１…ＣＰＵ、６２…記憶部、６３…Ｉ／Ｆ、６４…キーボード、６５…マウス、６６…ディスプレイ、１００…複合機群
【図１】
2006088381.tif 000003
【図２】
2006088381.tif 000004
【図３】
2006088381.tif 000005
【図４】
2006088381.tif 000006
【図５】
2006088381.tif 000007
【図６】
2006088381.tif 000008
【図７】
2006088381.tif 000009
【図８】
2006088381.tif 000010